【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
骨インプラントのための装置であって、該インプラントは、第１の基部と、第２の基部と、その間に延在する骨インプラント構成要素とを有し、該第１の基部および該第２の基部は、長手軸を画定し、該骨インプラント構成要素は、該軸に沿った該第１の基部と該第２の基部との相対変位に対応して、該長手軸に対して偏向し、該装置は、
該軸と実質的に同軸であり、該第１の基部に長手方向に固定される第１の本体と、
該軸と実質的に同軸であり、該第２の基部に長手方向に固定される第２の本体と、  
該第１の本体と該第２の本体との間の距離を長手方向に固定するように構成される細長い係合部材と
を含む、装置。
【請求項２】
前記距離は、
前記インプラントの完全折り畳み状態に対応する最大値と、
該インプラントの完全拡張状態に対応する最小値とを含み、
前記細長い係合部材は、ほぼ該最大値からほぼ該最小値までの範囲内の任意の値で、該距離を長手方向に固定するようにさらに構成され、
該完全折り畳み状態は、該インプラントが前記骨のアクセス穴を通過するように構成される状態に対応し、
該完全拡張状態は、該インプラントが標準の温度および圧力において該骨の外側に拡張された状態に対応する、請求項１に記載の装置。
【請求項３】
前記距離は、前記インプラントの長さを制御することによって、該インプラントの拡張を制御する、請求項１に記載の装置。
【請求項４】
前記距離は、前記骨インプラントの治療的な長さに対応する、請求項１に記載の装置。
【請求項５】
前記距離は、前記骨インプラントの治療的な半径に対応する、請求項１に記載の装置。
【請求項６】
前記細長い部材は、統合構成であり、
前記インプラントと連携して動作するように構成される全ての構造のうち、前記細長い係合部材だけが前記距離を固定するように構成される、請求項１に記載の装置。
【請求項７】
前記距離は、前記骨インプラントの拡張状態に対応し、該拡張状態は、骨のための構造支持を提供し、該骨の内壁への残留外向き半径方向圧力を実質的に排除する、請求項１に記載の装置。
【請求項８】
前記細長い係合部材は、前記第１の本体と前記第２の本体との間に張力を印加するように構成される、請求項１に記載の装置。
【請求項９】
前記細長い部材は、統合構成であり、
前記インプラントと連携して動作するように構成される全ての構造のうち、前記細長い係合部材だけが前記張力を印加するように構成される、請求項６に記載の装置。
【請求項１０】
前記細長い部材が前記距離を固定するときに、該細長い部材は、前記第１の本体の内部で前記第１の本体に、前記第２の本体の内部で前記第２の本体に係合する、請求項９に記載の装置。
【請求項１１】
前記第１の本体は、第１のタップ付きカニューレを含み、
前記第２の本体は、第２のタップ付きカニューレを含み、
前記細長い部材は、ネジ山を含み、該ネジ山は、該第１のタップ付きカニューレおよび該第２のタップ付きカニューレに係合するように構成される、請求項１０に記載の装置。
【請求項１２】
前記ネジ山は、前記第１のタップ付きカニューレに係合した後に、該ネジ山が前記第２のタップ付きカニューレに係合するときに、前記距離を大幅に変更することを回避するように十分にピッチが細かい、請求項１１に記載の装置。
【請求項１３】
前記第２の本体が、外径を有する場合、前記第１の本体は、該第２の本体の該外径よりも大きい内径を有する円筒形部分を含み、該円筒形部分は、該第２の本体の一部分を受容するように構成される、請求項１に記載の装置。
【請求項１４】
足場が、前記第１の基部と前記第２の基部との間に延在しており、該足場は、前記骨インプラント構成要素を含み、および骨を支持するように構成される、請求項１に記載の装置。
【請求項１５】
前記第１の基部が、前記第２の基部に向かって移動するとき、前記足場は、前記長手軸から離れる方向に拡張する、請求項１４に記載の装置。
【請求項１６】
前記インプラントは、固着基板を含み、該固着基板は、前記長手軸と前記足場との間に配置される、請求項１５に記載の装置。
【請求項１７】
固着基板が、前記第１の基部と第２の基部との間に延在しており、該固着基板は、前記骨インプラント構成要素を含み、および骨を支持するように構成される、請求項１に記載の装置。
【請求項１８】
前記第１の基部は、前記第２の基部に向かって移動し、前記固着基板は、前記長手軸から離れる方向に拡張する、請求項１７に記載の装置。
【請求項１９】
前記インプラントは、足場を含み、該足場は、前記長手軸に対して、前記固着基板よりも大きい半径方向距離を置いている、請求項１７に記載の装置。
【請求項２０】
タブが、前記第１の基部および前記足場の一方または両方から延在し、
ポケットが、該第１の基部および該足場の一方または両方の中に存在し、
該タブは、該ポケットに係合するように付勢され、
該足場は、該タブと該ポケットとの係合によって、該第１の基部に実質的に長手方向および回転方向に固定される、請求項１９に記載の装置。
【請求項２１】
前記距離が、固定されている場合、前記アンカー基板は、前記長手軸に沿って摺動可能であり、および該長手軸の周りで角度変位可能である、請求項２０に記載の装置。
【請求項２２】
骨の内側で骨インプラントの拡張直径を制御するための細長い部材であって、
該細長い部材は、第１の基部と第２の基部との間に延在しており、そして該第１の基部と該第２の基部との間の距離を固定することによって、該インプラントの長さを制御するように構成されており、該第１および該第２の基部は、実質的に同一線上にあり、
該細長い部材は、アクセス穴を閉じることによって、該骨の内側で閉じられるように構成されており、該アクセス穴を通して該インプラントが該骨の中に送達された、
細長い部材。
【請求項２３】
前記インプラントが、完全折り畳み状態および完全拡張状態を有し、該完全折り畳み状態は、該インプラントが前記骨におけるアクセス穴を通過するように構成される状態に対応し、該完全拡張状態は、該インプラントが標準の温度および温度で該骨の外側に拡張されている状態に対応する場合に、該細長い部材は、前記距離をある値に固定し、該ある値は、
該インプラントの該完全折り畳み状態に対応する最大値以下であり、かつ、
該インプラントの該完全拡張状態に対応する最小値以上である
請求項２２に記載の細長い部材。
【請求項２４】
拡張可能骨インプラントのためのハブであって、該インプラントは、中心軸部材および支持部材を有し、該支持部材は、該中心軸部材に沿って相互から離間している第１端および第２端を有し、該支持部材は、該インプラントが拡張するとき、該中心軸部材から半径方向に離れるように偏向するように構成される中間部分を有し、該ハブは、支持部材端末を含み、該支持部材端末は、
該インプラントの拡張中に、該中心軸部材に対して該第２端を長手方向に固定することと、
該拡張中に、該中心軸部材に対して該第２端を半径方向に固定することと
を行うように構成され、
該支持部材端末は、該支持部材のための隙間切込みを含むことにより、該第２端が該拡張中に角度可動域を有する、ハブ。
【請求項２５】
前記第２端が、タブを含み、前記支持部材端末が、該タブを取り囲むように構成されるエンクロージャをさらに含み、
前記切込みは、該エンクロージャを横断する、請求項２４に記載のハブ。
【請求項２６】
前記エンクロージャは、
第１のエンクロージャ部材と、
第２のエンクロージャ部材であって、該部材は、該第１のエンクロージャ部材から分離しており、前記タブを該エンクロージャの中へ入れるように構成される、第２のエンクロージャ部材と
を含む、請求項２５に記載のハブ。
【請求項２７】
前記第１のエンクロージャ部材は、前記角度可動域を制限する戻止め表面を含む、請求項２６に記載のハブ。
【請求項２８】
前記戻止め表面は、前記切込みの端部を含む、請求項２７に記載のハブ。
【請求項２９】
前記第２のエンクロージャ部材は、前記角度可動域を制限する戻止め表面を含む、請求項２６に記載のハブ。
【請求項３０】
前記支持部材端末は、前記中心軸部材の周りを回転するように構成される、請求項２４に記載のハブ。
【請求項３１】
前記支持部材端末は、前記中心軸部材に対して回転方向に固定される、請求項２４に記載のハブ。
【請求項３２】
骨用のインプラントのための安定器であって、該骨は、該インプラントの送達のためのアクセス穴を有し、該アクセス穴は、穴の壁を有し、該安定器は、細長い部材を含み、該細長い部材は、
該穴に沿って、
該インプラントが該骨の中に配備されるときに、該インプラントとアンカー受容特徴との間に延在するように構成され、
該アンカー受容特徴は、該穴の壁の中に打ち込まれたアンカーを受容するように構成される、安定器。
【請求項３３】
前記細長い部材は、延長部を含み、該延長部は、前記アンカー受容特徴を越えて延在し、支持プレートと関節運動するように構成される、請求項３２に記載の安定器。
【請求項３４】
前記延長部は、前記アンカー受容部材の円周方向にある第１の表面を含み、
前記支持プレートは、該第１の表面と相補的な第２の表面を含む、請求項３３に記載の安定器。
【請求項３５】
前記アンカー受容特徴によって受容されるアンカーからのけん引は、前記第１の表面に対して前記第２の表面を押し付けるように構成される、請求項３４に記載の安定器。
【請求項３６】
前記アンカーが前記穴の壁の中に打ち込まれると、前記細長い部材は、前記インプラントの回転に抵抗するように構成される、請求項３２に記載の安定器。
【請求項３７】
前記アンカーが前記穴の壁の中に打ち込まれると、前記細長い部材は、前記インプラントの長手軸に沿った該インプラントの移動に抵抗する、請求項３２に記載の安定器。
【請求項３８】
前記アンカーは、前記穴の壁の中に打ち込まれると、
該穴の中の前記細長い部材の回転と、
該穴に沿った該細長い部材の軸方向移動と
に抵抗するように構成される、請求項３２に記載の安定器。
【請求項３９】
前記インプラントは、該インプラントの形状を維持するための係止機構を含み、
該係止機構は、前記アクセス穴に挿入されたネジによって係止されるように構成され、
該ネジは、前記アンカー受容特徴が前記アンカーを受容した後に調整可能である、請求項３２に記載の安定器。
【請求項４０】
支持プレートをさらに含み、該支持プレートは、前記骨に固着され、該骨の長手軸と実質的に平行に位置付けられ、
該支持プレートは、前記穴の中の前記細長い部材の回転に抵抗するように構成される、請求項３２に記載の安定器。
【請求項４１】
支持プレートをさらに含み、該支持プレートは、
前記骨に固着されることと、
該骨の長手軸と実質的に平行に位置付けられることと、
前記穴に沿った前記細長い部材の軸方向移動に抵抗することと
を行うように構成される、請求項３２に記載の安定器。
【請求項４２】
支持プレートをさらに含み、該支持プレートは、
前記骨に固着されることと、
該骨の長手軸と実質的に平行に位置付けられることと、
前記穴の中の前記細長い部材の回転に抵抗することと、
前記穴に沿った前記細長い部材の軸方向移動に抵抗することと
を行うように構成される、請求項３２に記載の安定器。
【請求項４３】
前記アンカー受容特徴は、第１のアンカー受容特徴であり、前記支持プレートは、前記アンカーを受容するように構成される第２のアンカー受容特徴をさらに含む、請求項４２に記載の安定器。
【請求項４４】
前記支持プレートは、前記骨の皮質壁の外面の中に打ち込まれたアンカーを受容するように構成される第３のアンカー受容特徴をさらに含む、請求項４３に記載の安定器。
【請求項４５】
前記アンカー受容特徴は、第１のアンカー受容特徴であり、前記安定器は、
該第１のアンカー受容特徴に隣接する第１縁と、
該第１のアンカー受容特徴に隣接する第２縁と、
前記アンカーを受容するように構成される第２のアンカー受容特徴を含む支持プレートと
をさらに含み、
該第１縁および該第２縁は、旋回軸を画定し、
該アンカーは、該支持プレートを前記骨と接触し、該骨の外面と実質的に平行な位置に固定するように構成され、
該支持プレートは、前記穴の中の前記細長い部材の回転に抵抗するように構成される、請求項３２に記載の安定器。
【請求項４６】
前記アンカー受容特徴に隣接する第１縁と、
該アンカー受容特徴に隣接する第２縁と、
前記アンカーを受容するように構成される第２のアンカー受容特徴を含む支持プレートと
をさらに含み、
該第１縁および該第２縁は、旋回軸を画定し、
該アンカーは、該支持プレートを前記骨と接触し、該骨の外面と実質的に平行な位置に固定するように構成され、
該支持プレートは、前記穴に沿った前記細長い部材の軸方向移動に抵抗するように構成される、請求項３２に記載の安定器。
【請求項４７】
前記アンカー受容特徴に隣接する第１縁と、
該アンカー受容特徴に隣接する第２縁と、
前記アンカーを受容するように構成される第２のアンカー受容特徴を含む支持プレートと
をさらに含み、
該第１縁および該第２縁は、旋回軸を画定し、
該アンカーは、該支持プレートを前記骨と接触し、該骨の外面と実質的に平行な位置に固定するように構成され、
該支持プレートは、前記穴の中の前記細長い部材の回転および該穴に沿った該細長い部材の軸方向移動に抵抗するように構成される、請求項３２に記載の安定器。
【請求項４８】
前記支持プレートは、前記旋回軸の周りの実質的な曲げモーメントを前記細長い部材に伝達しない、請求項４７に記載の安定器。
【請求項４９】
前記支持プレートは、前記骨の皮質壁の外面の中に打ち込まれたアンカーを受容するように構成される第３のアンカー受容特徴をさらに含む、請求項４７に記載の安定器。
【請求項５０】
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、該隆起に係合し、前記穴の中での該細長い部材の回転に抵抗するように構成される、請求項３２に記載の安定器。
【請求項５１】
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、該隆起に係合し、前記穴に沿った該細長い部材の軸方向移動に抵抗するように構成される、請求項３２に記載の安定器。
【請求項５２】
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、該隆起に係合し、前記インプラントの長手軸に垂直な軸の周りでの該細長い部材の回転に抵抗するように構成される、請求項３２に記載の安定器。
【請求項５３】
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、前記隆起に係合し、
前記穴の中での該細長い部材の回転と、
該穴に沿った該細長い部材の軸方向移動と、
前記インプラントの長手軸に垂直な軸の周りでの該細長い部材の回転と
に抵抗するように構成される、請求項３２に記載の安定器。
【請求項５４】
前記細長い部材は、前記インプラントが前記骨の内側に配備された後に、前記アクセス穴内に位置付けられるように構成される、請求項３２に記載の安定器。
【請求項５５】
骨用のインプラントのための安定器であって、該インプラントは、該骨の皮質壁のアクセス穴を通して配備されるように構成され、該安定器は、
該インプラントが該骨の中に配備されると、該インプラントと、該皮質壁の外面の中に打ち込まれるアンカーを受容するように構成されるアンカー受容特徴との間に延在するように構成される細長い部材を含み、
該細長い部材は、該皮質壁の該外面に沿って該アンカー受容特徴を位置付けるために変形されるように構成される、安定器。
【請求項５６】
前記細長い部材を覆って位置付けられるように構成される支持プレートをさらに含み、
該支持プレートは、前記穴の中心軸の周りでの該細長い部材の回転に抵抗する、請求項５５に記載の安定器。
【請求項５７】
前記細長い部材を覆って位置付けられるように構成される支持プレートをさらに含み、
該支持プレートは、該細長い部材に対して直角の軸の周りでの該細長い部材の回転に抵抗する、請求項５５に記載の安定器。
【請求項５８】
前記細長い部材を覆って位置付けられるように構成される支持プレートをさらに含み、
該支持プレートは、  
前記穴の中心軸の周りでの該細長い部材の回転と、  
該細長い部材に対して直角の軸の周りでの回転と
に抵抗する、請求項５５に記載の安定器。
【請求項５９】
前記細長い部材は、前記インプラントが前記骨の中に配備された後に、該インプラントに取り付けられるように構成される、請求項５５に記載の安定器。
【請求項６０】
骨用のインプラントのための安定器であって、該インプラントは、該骨の皮質壁のアクセス穴を通して配備されるように構成され、該安定器は、
該皮質壁の外面の中に打ち込まれたアンカーを受容するように構成されるアンカー受容特徴のための部位と、
該インプラントが該骨の中に配備されると、該インプラントと、該部位との間に延在するように構成される細長い部材と、
該細長い部材を覆って位置付けられる支持プレートであって、該支持プレートは、
該アクセス穴の中心軸の周りでの該細長い部材の回転と、
該細長い部材に対して直角の該細長い部材の軸方向移動と
に抵抗するように構成される、支持プレートと
を含む、安定器。
【請求項６１】
前記細長い部材は、前記インプラントが前記骨の中に配備された後に、該インプラントに取り付けられるように構成される、請求項６０に記載の安定器。
【請求項６２】
骨用のインプラントのための安定器であって、該インプラントは、該骨の皮質壁のアクセス穴を通して配備されるように構成され、該安定器は、細長い部材を含み、該細長い部材は、
該穴に沿って、
該インプラントが該骨の中に配備されると、該インプラントと、控え壁カラーとの間に
延在するように構成され、
該控え壁カラーは、該アクセス穴の開口部で支持され、
該細長い部材は、該控え壁カラーで終端し、
該控え壁カラーは、該皮質壁の外面と実質的に平行である、安定器。
【請求項６３】
アンカー受容特徴をさらに含み、該アンカー受容特徴は、前記外面の中に打ち込まれたアンカーを受容するように構成される、請求項６２に記載の安定器。
【請求項６４】
前記アクセス穴の中心軸と前記インプラントの中心軸との間の角度は、調整可能である、請求項６２に記載の安定器。
【請求項６５】
係止機構をさらに含み、該係止機構は、前記調整可能な角度を係止するように構成される、請求項６４に記載の安定器。
【請求項６６】
前記細長い部材は、関節運動表面をさらに含む、請求項６４に記載の安定器。
【請求項６７】
前記調整可能な角度は、０度と４５度との間である、請求項６４に記載の安定器。
【請求項６８】
骨の中に骨インプラントを固定するためのシステムであって、該システムは、
表および裏を有する拡張可能ウェブであって、該ウェブは、該骨の内部に挿入されるように構成され、拡張直径を有する拡張可能セルを含む、拡張可能ウェブと、  
アンカーであって、該アンカーは、該拡張可能ウェブが該骨の内側にあるとき、該骨の断片を該拡張可能ウェブに固定するように構成される、アンカーと
を含み、該アンカーは、該表から該セルを貫通するための細長いシャフトと、該シャフトから離れるように横方向に延在し、該セルの該裏に係合することにより該セルと該骨の断片との間に張力を印加するように構成される係合特徴とを有し、該シャフトは、該張力が印加されたとき、該セルの該裏からの該係合特徴の係脱を防止するために、該拡張直径に対して十分大きいシャフト直径を有する、システム。
【請求項６９】
前記拡張直径は、前記係合特徴が前記セルの前記裏に係合する前に、前記拡張可能ウェブが拡張状態にあるときの該セルの直径である、請求項６８に記載のシステム。
【請求項７０】
前記拡張直径は、前記拡張可能ウェブが拡張状態にあり、前記係合特徴が前記セルの前記裏に係合しており、該セルが前記張力によって弾性的に変形させられたときの該セルの直径である、請求項６８に記載のシステム。
【請求項７１】
前記拡張直径は、前記拡張可能ウェブが拡張状態にあり、前記係合特徴が前記セルの前記裏に係合しており、該セルが前記張力によって塑性的に変形させられたときの該セルの直径である、請求項６８に記載のシステム。
【請求項７２】
前記アンカーは、ネジであり、前記係合特徴は、らせんネジ山であり、ネジの谷径、ネジのネジ山直径、およびネジ山ピッチのうちの１つ以上は、前記セルの破壊ひずみに基づいて選択される、請求項６８に記載のシステム。
【請求項７３】
前記アンカーは、ネジであり、前記係合特徴は、らせんネジ山であり、ネジの谷径、ネジのネジ山直径、およびネジ山ピッチのうちの１つ以上は、前記セルの弾性変形限界に基づいて選択される、請求項６８に記載のシステム。
【請求項７４】
前記アンカーは、ネジであり、前記係合特徴は、らせんネジ山であり、ネジの測定基準は、前記セルの破壊強度に基づいて選択される、請求項６８に記載のシステム。
【請求項７５】
前記ネジの測定基準は、ネジの外径である、請求項７０に記載のシステム。
【請求項７６】
前記ネジの測定基準は、ネジの平均直径である、請求項７０に記載のシステム。
【請求項７７】
前記ネジの測定基準は、ネジの内径である、請求項７０に記載のシステム。
【請求項７８】
前記ネジの測定基準は、ネジ山ピッチである、請求項７０に記載のシステム。
【請求項７９】
前記ネジの測定基準は、ネジのネジ山角度である、請求項７０に記載のシステム。
【請求項８０】
骨アンカーを受容するように構成されるブラケットと、
該骨の内側に配備される骨インプラントに対して該ブラケットを支持するように構成される延長部材と、
締結アセンブリであって、該締結アセンブリは、
該ブラケットを延長部に締結することと、
該延長部を該インプラントに締結することと
を行うように構成される、締結アセンブリと
を含み、該締結アセンブリは、
該ブラケットが該インプラントに対して移動可能である第１の状態と、  
該ブラケットが該インプラントに対して係止される第２の状態と
を有する、装置。
【請求項８１】
前記第１の状態において、前記ブラケットは、前記インプラントからの第１の距離から、該インプラントからの第２の距離まで移動可能である、請求項８０に記載の装置。
【請求項８２】
前記第１の状態において、前記ブラケットは、前記インプラントに対する第１の角度から、該インプラントに対する第２の角度まで移動可能である、請求項８０に記載の装置。
【請求項８３】
前記第１の状態において、前記ブラケットは、
前記インプラントからの第１の距離から、該インプラントからの第２の距離まで、
該インプラントに対する第１の角度から、該インプラントに対する第２の角度まで
移動可能である、請求項８０に記載の装置。
【請求項８４】
前記締結アセンブリは、
締結具であって、該締結具は、
前記インプラントに向かって前記延長部を押すことと、  
該延長部と前記ブラケットとの間に摩擦を誘発することと
を行うように構成される、締結具を含む、請求項８０に記載の装置。
【請求項８５】
拡張ブッシングをさらに含み、前記締結具は、
前記インプラントに向かって該拡張ブッシングを打ち込むことにより、該インプラントに向かって前記延長部を押すことと、
該延長部を拡張することにより、前記ブラケットの移動に干渉することと
を行うように構成される、請求項８４に記載の装置。
【請求項８６】
前記ブラケットは、管状部を有し、  
前記延長部は、該ブラケット管状部内にある管状部を有し、  
前記拡張ブッシングは、前記拡張管状部内にある部分を有し、  
前記締結具は、ネジを含み、該ネジは、該拡張ブッシング内にある部分を有する、請求項８５に記載の装置。
【請求項８７】
中心軸部材と、
該中心軸部材の周囲に同軸上に支持される第１の拡張可能ウェブと、
該中心軸の周囲に同軸上におよび該第１の拡張可能ウェブ内に支持される第２の拡張可能ウェブと
を含む、骨インプラント。
【請求項８８】
前記中心軸部材が長手軸を画定するときに、
前記第１の拡張可能ウェブは、第１のメッシュセル密度を有し、該第１のメッシュセル密度は、拡張されたときに、該第１の拡張可能ウェブが、該第１のメッシュセル密度に基づいて第１の半径を有するように該軸に沿って変化し、  
前記第２の拡張可能ウェブは、第２のメッシュセル密度を有し、該第２のメッシュセル密度は、拡張されたときに、該第２の拡張可能ウェブが、該第２のメッシュセル密度に基づいて第２の半径を有するように該軸に沿って変化する、請求項８７に記載のインプラント。
【請求項８９】
前記第２のウェブの全長に実質的に沿って、前記第２の半径に対する前記第１の半径の比は、実質的に一定である、請求項８８に記載のインプラント。
【請求項９０】
前記第２のウェブの長さに沿って、前記第２の半径に対する前記第１の半径の比は、実質的に一定である、請求項８８に記載のインプラント。
【請求項９１】
前記第２の半径は、前記第２のウェブの遠位端と前記第２のウェブの近位端との間に、第２の半径の最大値を有し、
該第２の半径は、該遠位端に向かって、該最大値から実質的に直線的に減少し、
該第２の半径は、該近位端に向かって、該最大値から実質的に直線的に減少する、請求項８８に記載のインプラント。
【請求項９２】
前記第２のウェブの前記遠位端と該第２のウェブの前記近位端との間において、
前記第２の半径と前記第１の半径との間の違いは、半径方向オフセットを画定し、
該半径方向オフセットは、該第２の半径の最大値に対応するオフセット最小値を有する、請求項９１に記載のインプラント。
【請求項９３】
前記オフセット最小値は、前記第１の拡張可能ウェブが半径方向荷重を負担するときに、該第１の拡張可能ウェブが変形して、前記第２の半径の最大値において該荷重を前記第２の拡張可能ウェブに伝達するように十分小さい、請求項９２に記載のインプラント。
【請求項９４】
前記第１の拡張可能ウェブは、第１の複数の開放セルを含み、
前記第２の拡張可能ウェブは、第２の複数の開放セルを含み、
前記第１および第２の複数の開放セルは、アンカーに係合し、張力を該アンカーに送達して、該アンカーと係合される骨の断片を保持するように構成される、請求項８７に記載のインプラント。
【請求項９５】
前記第２の拡張可能ウェブは、該第２の拡張可能ウェブが、前記アンカーによる該第２の拡張可能ウェブの係合中に、前記アンカーからの干渉に応じて回転することができるために、前記長手軸の周りを回転可能であるように支持される、請求項９３に記載のインプラント。
【請求項９６】
骨用のインプラントであって、該インプラントは、構造構成要素を含み、拡張状態と、折り畳み状態と、長手軸と、該長手軸に対して直角の横軸とを有し、該構造構成要素は、該長手軸に沿って、
第１のゾーンと、
第２のゾーンと、
第３のゾーンと
を含み、
該第１のゾーンは、該横軸の周りでの屈曲に対する第１の抵抗を有し、  
該第２のゾーンおよび該第３のゾーンは、該横軸の周りでの屈曲に対する第２の抵抗を有し、
該折り畳み状態において、該屈曲に対する第１の抵抗は、該屈曲に対する第２の抵抗よりも大きい、インプラント。
【請求項９７】
前記拡張状態での前記屈曲に対する第２の抵抗は、前記折り畳み状態での前記屈曲に対する第２の抵抗よりも大きい、請求項９６に記載のインプラント。
【請求項９８】
前記第１のゾーンは、第１のセルを含み、前記第３のゾーンは、第２のセルを含み、
該第１のセルは、
該第２のセルから、第１の距離で、前記長手軸の周囲で円周方向に離間し、
該第２のセルから、第２の距離で、該長手軸に沿って長手方向に離間し、前記第２のゾーンは、該第１のセルから該第２のセルまでの連結具を含む、請求項９６に記載のインプラント。
【請求項９９】
前記第１の距離の増加は、前記横軸の周りでの前記第２のゾーンの可撓性の増加に対応する、請求項９８に記載のインプラント。
【請求項１００】
前記第２の距離の増加は、前記横軸の周りでの前記第２のゾーンの可撓性の増加に対応する、請求項９８に記載のインプラント。
【請求項１０１】
前記第１のゾーンは、第３のセルを含み、該第３のセルは、
前記第２のセルから、第３の距離で、前記長手軸の周囲で円周方向に離間し、
該第２のセルから、第４の距離で、該長手軸に沿って長手方向に離間し、
前記第３のゾーンは、第４のセルを含み、該第４のセルは、
該第３のセルからの前記第１の距離で、該長手軸の周囲で円周方向に離間し、
該第３のセルからの第２の距離で、該長手軸に沿って長手方向に離間し、
前記第２のゾーンは、前記連結具が第１の連結具であるときに、
該第３のセルから該第４のセルまでの第２の連結具を含み、
前記拡張状態において、該第１の連結具は、該第２の連結具の上に積み重なる、請求項９８に記載のインプラント。
【請求項１０２】
前記連結具は、前記第１のセルと前記第２のセルとを蛇行して連結する、請求項９８に記載のインプラント。
【請求項１０３】
前記第１のゾーンは、第１のセルを含み、前記第３のゾーンは、第２のセルを含み、
該第１のセルは、
前記長手軸の周囲で、該第２のセルと円周方向に整列させられ、  
該第２のセルからの距離で、該長手軸に沿って長手方向に離間し、
前記第２のゾーンは、該第１のセルから該第２のセルまでの連結具を含む、請求項９６に記載のインプラント。
【請求項１０４】
前記連結具は、前記第１のセルを前記第２のセルに蛇行して連結する、請求項１０３に記載のインプラント。
【請求項１０５】
前記連結具は、「Ｖ」字形連結具を含み、該連結具は、頂点と、第１の脚と、第２の脚とを有し、
前記長手軸に沿った圧縮下において、該第１の脚および該第２の脚は、該頂点の周囲で折り重なる、請求項１０３に記載のインプラント。
【請求項１０６】
骨用のインプラントであって、該インプラントは、構造構成要素を含み、該インプラントは、拡張状態と、折り畳み状態と、長手軸とを有し、該構造構成要素は、
該長手軸に沿って延在する第１の構造部材と、
該長手軸に沿って延在し、該第１の部材から該長手軸の周囲で円周方向に離間している第２の構造部材と、
該第１の部材から該第２の部材まで及ぶ交差支持材と
を含み、
該交差支持部材は、継手を有する部材を含み、該部材は、
該折り畳み状態で、該継手の周囲で折り重ねられ、
該拡張状態で、該継手の周囲で広げられるように構成される、インプラント。
【請求項１０７】
前記交差支持材が折り重ねられたとき、前記部材の角度は、実質的に０度であり、
該交差支持材が広げられたときに、該部材の角度は、実質的に１８０度である、請求項１０６に記載のインプラント。
【請求項１０８】
前記広げられた交差支持材は、前記長手軸からの前記インプラントの拡張を制限する、請求項１０６に記載のインプラント。
【請求項１０９】
骨用のインプラントであって、該インプラントは、支持構成要素を含み、該支持構成要素は、平面を画定し、該インプラントは、該平面内に位置する長手軸と、該平面内に位置し、該長手軸と垂直である第１の横軸と、該長手軸と垂直であり、かつ該平面と垂直である第２の横軸とを有し、
該支持構成要素は、
該長手軸の周囲または該第１の横軸の周りでの屈曲に対する第１の抵抗と、
該第２の横軸の周りでの屈曲に対する第２の抵抗と
を有し、
該第１の屈曲抵抗は、該第２の屈曲抵抗よりも大きい、インプラント。
【請求項１１０】
前記支持構成要素は、第１の部材と、第２の部材とを含み、
該第１の部材は、
前記長手軸の周囲または前記第１の横軸の周りでの屈曲に対する第３の抵抗と、
前記第２の横軸の周りでの屈曲に対する第４の抵抗と
を有し、
該第２の部材は、
該長手軸の周囲または該第１の横軸の周りでの屈曲に対する第５の抵抗と、
該第２の横軸の周りでの屈曲に対する第６の抵抗と
を有する、請求項１０９に記載のインプラント。
【請求項１１１】
前記支持構成要素は、第１のアンカー受容特徴と、第２のアンカー受容特徴とを含み、該第１のアンカー受容特徴および該第２のアンカー受容特徴は、前記平面内に位置するアンカーを受容するように構成される、請求項１０９に記載のインプラント。
【請求項１１２】
長手軸を画定する中心軸部材と、
該中心軸部材の周囲に同軸上に支持される拡張可能ウェブであって、該拡張可能ウェブは、
該拡張可能ウェブの第１のセグメントに沿って長手方向に変化する第１のメッシュセル密度と、
該拡張可能ウェブの第２のセグメントに沿って長手方向に変化する第２のメッシュセル密度と、
該拡張可能ウェブの第３のセグメントに沿って長手方向に変化する第３のメッシュセル密度と、
該拡張可能ウェブの第４のセグメントに沿って長手方向に変化する第４のメッシュセル密度と、
該拡張可能ウェブの第５のセグメントに沿って長手方向に変化する第５のメッシュセル密度と
を含み、それにより、該拡張可能ウェブが拡張状態であるときに、
該第１のセグメントは、第１の外形を有し、
該第２のセグメントは、第２の外形を有し、
該第３のセグメントは、第３の外形を有し、
該第４のセグメントは、第４の外形を有し、
該第５のセグメントは、第５の外形を有する
拡張可能ウェブと
を含む、骨インプラント。
【請求項１１３】
非拡張状態において、前記第１、第２、第３、第４、および第５のセグメントは、連続して長手方向に順序付けられ、
前記拡張状態において、
該第１および第５のセグメントは、相互に対面して凹状であり、
該第２および第４のセグメントは、それぞれ、該第１のセグメントから該第３のセグメントまで、および該第３のセグメントから該第５のセグメントまで架橋する、請求項１１２に記載のインプラント。
【請求項１１４】
前記拡張状態において、前記第３のセグメントは、実質的に円筒形である、請求項１１３に記載のインプラント。
【請求項１１５】
前記拡張状態において、前記第３のセグメントは、楕円体である、請求項１１３に記載のインプラント。
【請求項１１６】
前記拡張状態において、
前記第１のセグメントは、第１のセグメントの最大半径を有し、
前記第３のセグメントは、第３のセグメントの最大半径を有し、
前記第５のセグメントは、第５のセグメントの最大半径を有し、
該第１のセグメントの最大半径および該第５のセグメントの最大半径の両方は、該第３のセグメントの最大半径よりも大きい、請求項１１３に記載のインプラント。
【請求項１１７】
前記第３のセグメントの最大半径に対する、前記第１のセグメントの最大半径および前記第５のセグメントの最大半径のうちの１つのものの比は、少なくとも１．１である、請求項１１６に記載のインプラント。
【請求項１１８】
長手軸を画定する中心軸部材と、
該中心軸部材の周囲に同軸上に支持される拡張可能ウェブであって、該拡張可能ウェブは、
該拡張可能ウェブの第１のセグメントに沿って長手方向に変化する第１のメッシュセル密度と、
該拡張可能ウェブの第２のセグメントに沿って長手方向に変化する第２のメッシュセル密度と、
該拡張可能ウェブの第３のセグメントに沿って長手方向に変化する第３のメッシュセル密度と
を含み、該拡張可能ウェブが拡張状態であるときに、
該第１のセグメントは、第１の外形を有し、
該第２のセグメントは、第２の外形を有し、
該第３のセグメントは、第３の外形を有する
拡張可能ウェブと
を含む、骨インプラント。
【請求項１１９】
非拡張状態において、前記第２のセグメントは、前記第１のセグメントと前記第３のセグメントとの間で長手方向にあり、
前記拡張状態において、
該第１のセグメントは、楕円体であり、
該第３のセグメントは、該第１のセグメントに対面して凹状であり、
該第２のセグメントは、該第３のセグメントの外半径から該第１のセグメントの隣接先端まで架橋する、請求項１１８に記載のインプラント。
【請求項１２０】
前記拡張状態において、前記第２のセグメントは、前記第１のセグメントに対面して凹状である部分を有する、請求項１１９に記載のインプラント。
【請求項１２１】
前記拡張状態において、前記第２のセグメントは、前記第１のセグメントに対面して凸状である部分を有する、請求項１２０に記載のインプラント。
【請求項１２２】
前記拡張状態において、前記第２のセグメントは、前記第１のセグメントに対面して凸状である部分を有する、請求項１１９に記載のインプラント。
【請求項１２３】
前記拡張状態において、
前記第１のセグメントは、第１のセグメントの最大半径を有し、
前記第３のセグメントは、第２のセグメントの最大半径を有し、
該第３のセグメントの最大半径は、該第１のセグメントの最大半径よりも大きい、請求項１１９に記載のインプラント。
【請求項１２４】
前記第１のセグメントの最大半径に対する前記第３のセグメントの最大半径の比は、少なくとも１．１である、請求項１２３に記載のインプラント。
【請求項１２５】
前記拡張状態において、
前記第１のセグメントは、第１の長手径を有し、
前記第２および第３のセグメントはともに、第２の長手径を画定し、
該第１の長手径は、該第２の長手径よりも大きい、請求項１１９に記載のインプラント。
【請求項１２６】
前記第２の長手径に対する前記第１の長手径の比は、少なくとも２．５である、請求項１２５に記載のインプラント。
【請求項１２７】
前記拡張状態において、
前記第１のセグメントは、第１のセグメントの最大半径を有し、
前記第３のセグメントは、第２のセグメントの最大半径を有し、
該第１のセグメントの最大半径は、該第３のセグメントの最大半径よりも大きい、請求項１１９に記載のインプラント。
【請求項１２８】
前記第３のセグメントの最大半径に対する前記第１のセグメントの最大半径の比は、少なくとも１．１である、請求項１２３に記載のインプラント。
【請求項１２９】
前記拡張状態において、
前記第１のセグメントは、第１の長手径を有し、
前記第２および第３のセグメントはともに、第２の長手径を画定し、
該第２の長手径は、該第１の長手径よりも大きい、請求項１１９に記載のインプラント。
【請求項１３０】
前記第１の長手径に対する前記第２の長手径の比は、少なくとも２．５である、請求項１２９に記載のインプラント。
【請求項１３１】
長手軸を画定する中心軸部材と、
該中心軸部材の周囲に同軸上に支持される拡張可能ウェブであって、該拡張可能ウェブは、
該拡張可能ウェブの第１のセグメントに沿って長手方向に変化する第１のメッシュセル密度と、
該拡張可能ウェブの第２のセグメントに沿って長手方向に変化する第２のメッシュセル密度と、
該拡張可能ウェブの第３のセグメントに沿って長手方向に変化する第３のメッシュセル密度と
を含み、該拡張可能ウェブが拡張状態であるときに、
該第１のセグメントは、第１の外形を有し、
該第２のセグメントは、第２の外形を有し、
該第３のセグメントは、第３の外形を有する
拡張可能ウェブと
を含む、骨インプラント。
【請求項１３２】
非拡張状態において、前記第２のセグメントは、前記第１のセグメントと前記第３のセグメントとの間で長手方向にあり、
前記拡張状態において、
前記第１の外形は、該第２のセグメントに向かって開いている実質的に円錐形の形状であり、
該第３のセグメントは、実質的に平面的であり、前記中心軸部材と実質的に垂直であり、
該第２のセグメントは、該第１のセグメントの外半径から該第３のセグメントの外半径まで架橋する、請求項１３１に記載のインプラント。
【請求項１３３】
前記拡張状態において、
前記第２の外形は、実質的に円錐形であり、前記第１の外径との継手において第１の半径、および前記第３の外径との継手において第２の半径を有し、
該第２の半径は、該第１の半径よりも大きい、請求項１３２に記載のインプラント。
【請求項１３４】
前記第１の半径に対する前記第２の半径の比は、少なくとも１．１である、請求項１３３に記載のインプラント。
【請求項１３５】
骨用のインプラントのための骨係合部材であって、該インプラントは、骨の内側に配備されたときに、該インプラントの遠位端において、封入領域を画定し、該骨係合部材は、
該領域から外へ延在し、
該骨の中へ延在する
ように構成される、骨係合部材。
【請求項１３６】
細長い部材を含み、該細長い部材は、前記インプラントの近位端から、
前記領域の内側で第１の長さに延在し、
該領域の外側で第２の長さに延在する
請求項１３５に記載の骨係合部材。
【請求項１３７】
前記インプラントに直接固定されない細長い部材を含む、請求項１３５に記載の骨係合部材。
【請求項１３８】
前記インプラントに直接固定される細長い部材を含む、請求項１３５に記載の骨係合部材。
【請求項１３９】
骨用のインプラントのための骨係合部材であって、該インプラントは、該インプラントの遠位端に向かって集中する支持構造を含み、該骨係合部材は、
該支持構造から分岐し、
該骨の中へ延在する
ように構成される、骨係合部材。
【請求項１４０】
前記支持構造に直接固定されない骨係合部材を含む、請求項１３９に記載の骨係合部材。
【請求項１４１】
前記支持構造に直接固定される骨係合部材を含む、請求項１３９に記載の骨係合部材。
【請求項１４２】
前記インプラントの支持部材と並んで、前記骨係合部材の第１の長さにわたり、
前記骨の中に、該骨係合部材の第２の長さにわたり
延在するように構成される、請求項１３９に記載の骨係合部材。
【請求項１４３】
前記第１の長さは、前記支持構造の表面に実質的に垂直に延在する、請求項１４２に記載の骨係合部材。
【請求項１４４】
前記インプラントの拡張後に、前記支持構造の前記表面と実質的に垂直に延在するように構成される、請求項１４３に記載の骨係合部材。
【請求項１４５】
前記骨の海綿部分の中に延在するように構成される、請求項１３９に記載の骨係合部材。
【請求項１４６】
前記骨に対する前記インプラントの並進運動に抵抗するように構成される、請求項１３９に記載の骨係合部材。
【請求項１４７】
前記骨に対する前記インプラントの回転運動に抵抗するように構成される、請求項１３９に記載の骨係合部材。
【請求項１４８】
前記支持構造から分岐し、前記骨の中に延在するいくつかの骨係合部材のうちの１つである、請求項１３９に記載の骨係合部材。
【請求項１４９】
前記骨の内部幾何学形状と整合するように構成される遠位先端を含む、請求項１３９に記載の骨係合部材。
【請求項１５０】
前記インプラントの近位端において該インプラントに固定されるように構成される、請求項１３９に記載の骨係合部材。
【請求項１５１】
前記インプラントが前記骨のアクセス穴を通して配備されるとき、該インプラントの後に該アクセス穴に挿入されるように構成される、請求項１３４に記載の骨係合部材。
【請求項１５２】
前記インプラントが前記骨のアクセス穴を通して配備されるとき、該インプラントが該骨の中に配備された後に該アクセス穴に挿入されるように構成される、請求項１３４に記載の骨係合部材。
【請求項１５３】
長手軸および該軸に垂直な半径方向を画定する中心軸部材と、
該中心軸部材の周囲で支持される拡張可能ウェブであって、横外形を有する拡張可能ウェブと
を含み、該中心軸部材から該外形までの半径方向距離は、該軸の周囲で円周方向に変化する、骨インプラント。
【請求項１５４】
前記拡張可能ウェブと機械的に界面接触し、前記半径方向に該拡張可能ウェブを拘束して、前記横外形を達成するように構成される末端ウェブセグメントを含む、請求項１５３に記載の骨インプラント。
【請求項１５５】
前記横外形は、第１の半径および第２の半径を有し、該第１の半径は、該第２の半径よりも大きく、
前記末端ウェブセグメントは、該第１の半径に対応する第１のアームを有し、
該末端ウェブセグメントは、該第１の半径よりも小さくなるように該第２の半径を拘束する、第２のアームを有する、請求項１５４に記載の骨インプラント。
【請求項１５６】
前記横外形は、前記第１の半径よりも小さい第３の半径を有し、  
前記末端ウェブセグメントは、該第１の半径よりも小さくなるように該第３の半径を拘束する第３のアームを有する、請求項１５５に記載の骨インプラント。
【請求項１５７】
前記横外形は、第１の動作可能な直線のセグメントと、第２の動作可能な直線のセグメントとを含み、
前記第１および第３のアームは、該第１の動作可能な直線のセグメントに対してある角度を成して、該第２の動作可能な直線のセグメントを配向させる、請求項１５６に記載の骨インプラント。
【請求項１５８】
前記横外形は、動作可能な多角形である、請求項１５７に記載の骨インプラント。
【請求項１５９】
前記横外形は、動作可能な菱形である、請求項１５８に記載の骨インプラント。
【請求項１６０】
前記横外形は、動作可能な三角形である、請求項１６０に記載の骨インプラント。
【請求項１６１】
前記横外形は、楕円の長軸および楕円の短軸を有し、
前記第１のアームは、該楕円の長軸に対応し、
前記第２のアームは、該楕円の短軸に対応する、請求項１５５に記載の骨インプラント。
【請求項１６２】
前記横外形は、動作可能に楕円形である、請求項１６１に記載の骨インプラント。
【手続補正２】
【補正対象書類名】明細書
【補正対象項目名】００１１
【補正方法】変更
【補正の内容】
【００１１】
本発明は、例えば、以下を提供する：
（項目１）
骨インプラントのための装置であって、該インプラントは、第１の基部と、第２の基部と、その間に延在する骨インプラント構成要素とを有し、該第１の基部および該第２の基部は、長手軸を画定し、該骨インプラント構成要素は、該軸に沿った該第１の基部と該第２の基部との相対変位に対応して、該長手軸に対して偏向し、該装置は、
該軸と実質的に同軸であり、該第１の基部に長手方向に固定される第１の本体と、
該軸と実質的に同軸であり、該第２の基部に長手方向に固定される第２の本体と、  
該第１の本体と該第２の本体との間の距離を長手方向に固定するように構成される細長い係合部材と
を含む、装置。
（項目２）
前記距離は、
前記インプラントの完全折り畳み状態に対応する最大値と、
該インプラントの完全拡張状態に対応する最小値とを含み、
前記細長い係合部材は、ほぼ該最大値からほぼ該最小値までの範囲内の任意の値で、該距離を長手方向に固定するようにさらに構成され、
該完全折り畳み状態は、該インプラントが前記骨のアクセス穴を通過するように構成される状態に対応し、
該完全拡張状態は、該インプラントが標準の温度および圧力において該骨の外側に拡張された状態に対応する、項目１に記載の装置。
（項目３）
前記距離は、前記インプラントの長さを制御することによって、該インプラントの拡張を制御する、項目１に記載の装置。
（項目４）
前記距離は、前記骨インプラントの治療的な長さに対応する、項目１に記載の装置。
（項目５）
前記距離は、前記骨インプラントの治療的な半径に対応する、項目１に記載の装置。
（項目６）
前記細長い部材は、統合構成であり、
前記インプラントと連携して動作するように構成される全ての構造のうち、前記細長い係合部材だけが前記距離を固定するように構成される、項目１に記載の装置。
（項目７）
前記距離は、前記骨インプラントの拡張状態に対応し、該拡張状態は、骨のための構造支持を提供し、該骨の内壁への残留外向き半径方向圧力を実質的に排除する、項目１に記載の装置。
（項目８）
前記細長い係合部材は、前記第１の本体と前記第２の本体との間に張力を印加するように構成される、項目１に記載の装置。
（項目９）
前記細長い部材は、統合構成であり、
前記インプラントと連携して動作するように構成される全ての構造のうち、前記細長い係合部材だけが前記張力を印加するように構成される、項目６に記載の装置。
（項目１０）
前記細長い部材が前記距離を固定するときに、該細長い部材は、前記第１の本体の内部で前記第１の本体に、前記第２の本体の内部で前記第２の本体に係合する、項目９に記載の装置。
（項目１１）
前記第１の本体は、第１のタップ付きカニューレを含み、
前記第２の本体は、第２のタップ付きカニューレを含み、
前記細長い部材は、ネジ山を含み、該ネジ山は、該第１のタップ付きカニューレおよび該第２のタップ付きカニューレに係合するように構成される、項目１０に記載の装置。
（項目１２）
前記ネジ山は、前記第１のタップ付きカニューレに係合した後に、該ネジ山が前記第２のタップ付きカニューレに係合するときに、前記距離を大幅に変更することを回避するように十分にピッチが細かい、項目１１に記載の装置。
（項目１３）
前記第２の本体が、外径を有する場合、前記第１の本体は、該第２の本体の該外径よりも大きい内径を有する円筒形部分を含み、該円筒形部分は、該第２の本体の一部分を受容するように構成される、項目１に記載の装置。
（項目１４）
足場が、前記第１の基部と前記第２の基部との間に延在しており、該足場は、前記骨インプラント構成要素を含み、および骨を支持するように構成される、項目１に記載の装置。
（項目１５）
前記第１の基部が、前記第２の基部に向かって移動するとき、前記足場は、前記長手軸から離れる方向に拡張する、項目１４に記載の装置。
（項目１６）
前記インプラントは、固着基板を含み、該固着基板は、前記長手軸と前記足場との間に配置される、項目１５に記載の装置。
（項目１７）
固着基板が、前記第１の基部と第２の基部との間に延在しており、該固着基板は、前記骨インプラント構成要素を含み、および骨を支持するように構成される、項目１に記載の装置。
（項目１８）
前記第１の基部は、前記第２の基部に向かって移動し、前記固着基板は、前記長手軸から離れる方向に拡張する、項目１７に記載の装置。
（項目１９）
前記インプラントは、足場を含み、該足場は、前記長手軸に対して、前記固着基板よりも大きい半径方向距離を置いている、項目１７に記載の装置。
（項目２０）
タブが、前記第１の基部および前記足場の一方または両方から延在し、
ポケットが、該第１の基部および該足場の一方または両方の中に存在し、
該タブは、該ポケットに係合するように付勢され、
該足場は、該タブと該ポケットとの係合によって、該第１の基部に実質的に長手方向および回転方向に固定される、項目１９に記載の装置。
（項目２１）
前記距離が、固定されている場合、前記アンカー基板は、前記長手軸に沿って摺動可能であり、および該長手軸の周りで角度変位可能である、項目２０に記載の装置。
（項目２２）
骨の内側で骨インプラントの拡張直径を制御するための方法であって、該方法は、
第１の基部と第２の基部との間の距離を固定することによって、該インプラントの長さを制御することであって、該第１および第２の基部は、実質的に同一線上にあり、該第１の基部と該第２の基部との間に延在する細長い部材を使用する、ことと、
アクセス穴を閉じることによって、該骨の内側で該細長い部材を閉じることであって、該アクセス穴を通して該インプラントが該骨の中に送達された、ことと
を含む、方法。
（項目２３）
前記インプラントが、完全折り畳み状態および完全拡張状態を有し、該完全折り畳み状態は、該インプラントが前記骨におけるアクセス穴を通過するように構成される状態に対応し、該完全拡張状態は、該インプラントが標準の温度および温度で該骨の外側に拡張されている状態に対応する場合に、前記距離をある値に固定することをさらに含み、該ある値は、
該インプラントの該完全折り畳み状態に対応する最大値以下であり、かつ、
該インプラントの該完全拡張状態に対応する最小値以上である
項目２２に記載の方法。
（項目２４）
拡張可能骨インプラントのためのハブであって、該インプラントは、中心軸部材および支持部材を有し、該支持部材は、該中心軸部材に沿って相互から離間している第１端および第２端を有し、該支持部材は、該インプラントが拡張するとき、該中心軸部材から半径方向に離れるように偏向するように構成される中間部分を有し、該ハブは、支持部材端末を含み、該支持部材端末は、
該インプラントの拡張中に、該中心軸部材に対して該第２端を長手方向に固定することと、
該拡張中に、該中心軸部材に対して該第２端を半径方向に固定することと
を行うように構成され、
該支持部材端末は、該支持部材のための隙間切込みを含むことにより、該第２端が該拡張中に角度可動域を有する、ハブ。
（項目２５）
前記第２端が、タブを含み、前記支持部材端末が、該タブを取り囲むように構成されるエンクロージャをさらに含み、
前記切込みは、該エンクロージャを横断する、項目２４に記載のハブ。
（項目２６）
前記エンクロージャは、
第１のエンクロージャ部材と、
第２のエンクロージャ部材であって、該部材は、該第１のエンクロージャ部材から分離しており、前記タブを該エンクロージャの中へ入れるように構成される、第２のエンクロージャ部材と
を含む、項目２５に記載のハブ。
（項目２７）
前記第１のエンクロージャ部材は、前記角度可動域を制限する戻止め表面を含む、項目２６に記載のハブ。
（項目２８）
前記戻止め表面は、前記切込みの端部を含む、項目２７に記載のハブ。
（項目２９）
前記第２のエンクロージャ部材は、前記角度可動域を制限する戻止め表面を含む、項目２６に記載のハブ。
（項目３０）
前記支持部材端末は、前記中心軸部材の周りを回転するように構成される、項目２４に記載のハブ。
（項目３１）
前記支持部材端末は、前記中心軸部材に対して回転方向に固定される、項目２４に記載のハブ。
（項目３２）
骨用のインプラントのための安定器であって、該骨は、該インプラントの送達のためのアクセス穴を有し、該アクセス穴は、穴の壁を有し、該安定器は、細長い部材を含み、該細長い部材は、
該穴に沿って、
該インプラントが該骨の中に配備されるときに、該インプラントとアンカー受容特徴との間に延在するように構成され、
該アンカー受容特徴は、該穴の壁の中に打ち込まれたアンカーを受容するように構成される、安定器。
（項目３３）
前記細長い部材は、延長部を含み、該延長部は、前記アンカー受容特徴を越えて延在し、支持プレートと関節運動するように構成される、項目３２に記載の安定器。
（項目３４）
前記延長部は、前記アンカー受容部材の円周方向にある第１の表面を含み、
前記支持プレートは、該第１の表面と相補的な第２の表面を含む、項目３３に記載の安定器。
（項目３５）
前記アンカー受容特徴によって受容されるアンカーからのけん引は、前記第１の表面に対して前記第２の表面を押し付けるように構成される、項目３４に記載の安定器。
（項目３６）
前記アンカーが前記穴の壁の中に打ち込まれると、前記細長い部材は、前記インプラントの回転に抵抗するように構成される、項目３２に記載の安定器。
（項目３７）
前記アンカーが前記穴の壁の中に打ち込まれると、前記細長い部材は、前記インプラントの長手軸に沿った該インプラントの移動に抵抗する、項目３２に記載の安定器。
（項目３８）
前記アンカーは、前記穴の壁の中に打ち込まれると、
該穴の中の前記細長い部材の回転と、
該穴に沿った該細長い部材の軸方向移動と
に抵抗するように構成される、項目３２に記載の安定器。
（項目３９）
前記インプラントは、該インプラントの形状を維持するための係止機構を含み、
該係止機構は、前記アクセス穴に挿入されたネジによって係止されるように構成され、
該ネジは、前記アンカー受容特徴が前記アンカーを受容した後に調整可能である、項目３２に記載の安定器。
（項目４０）
支持プレートをさらに含み、該支持プレートは、前記骨に固着され、該骨の長手軸と実質的に平行に位置付けられ、
該支持プレートは、前記穴の中の前記細長い部材の回転に抵抗するように構成される、項目３２に記載の安定器。
（項目４１）
支持プレートをさらに含み、該支持プレートは、
前記骨に固着されることと、
該骨の長手軸と実質的に平行に位置付けられることと、
前記穴に沿った前記細長い部材の軸方向移動に抵抗することと
を行うように構成される、項目３２に記載の安定器。
（項目４２）
支持プレートをさらに含み、該支持プレートは、
前記骨に固着されることと、
該骨の長手軸と実質的に平行に位置付けられることと、
前記穴の中の前記細長い部材の回転に抵抗することと、
前記穴に沿った前記細長い部材の軸方向移動に抵抗することと
を行うように構成される、項目３２に記載の安定器。
（項目４３）
前記アンカー受容特徴は、第１のアンカー受容特徴であり、前記支持プレートは、前記アンカーを受容するように構成される第２のアンカー受容特徴をさらに含む、項目４２に記載の安定器。
（項目４４）
前記支持プレートは、前記骨の皮質壁の外面の中に打ち込まれたアンカーを受容するように構成される第３のアンカー受容特徴をさらに含む、項目４３に記載の安定器。
（項目４５）
前記アンカー受容特徴は、第１のアンカー受容特徴であり、前記安定器は、
該第１のアンカー受容特徴に隣接する第１縁と、
該第１のアンカー受容特徴に隣接する第２縁と、
前記アンカーを受容するように構成される第２のアンカー受容特徴を含む支持プレートと
をさらに含み、
該第１縁および該第２縁は、旋回軸を画定し、
該アンカーは、該支持プレートを前記骨と接触し、該骨の外面と実質的に平行な位置に固定するように構成され、
該支持プレートは、前記穴の中の前記細長い部材の回転に抵抗するように構成される、項目３２に記載の安定器。
（項目４６）
前記アンカー受容特徴に隣接する第１縁と、
該アンカー受容特徴に隣接する第２縁と、
前記アンカーを受容するように構成される第２のアンカー受容特徴を含む支持プレートと
をさらに含み、
該第１縁および該第２縁は、旋回軸を画定し、
該アンカーは、該支持プレートを前記骨と接触し、該骨の外面と実質的に平行な位置に固定するように構成され、
該支持プレートは、前記穴に沿った前記細長い部材の軸方向移動に抵抗するように構成される、項目３２に記載の安定器。
（項目４７）
前記アンカー受容特徴に隣接する第１縁と、
該アンカー受容特徴に隣接する第２縁と、
前記アンカーを受容するように構成される第２のアンカー受容特徴を含む支持プレートと
をさらに含み、
該第１縁および該第２縁は、旋回軸を画定し、
該アンカーは、該支持プレートを前記骨と接触し、該骨の外面と実質的に平行な位置に固定するように構成され、
該支持プレートは、前記穴の中の前記細長い部材の回転および該穴に沿った該細長い部材の軸方向移動に抵抗するように構成される、項目３２に記載の安定器。
（項目４８）
前記支持プレートは、前記旋回軸の周りの実質的な曲げモーメントを前記細長い部材に伝達しない、項目４７に記載の安定器。
（項目４９）
前記支持プレートは、前記骨の皮質壁の外面の中に打ち込まれたアンカーを受容するように構成される第３のアンカー受容特徴をさらに含む、項目４７に記載の安定器。
（項目５０）
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、該隆起に係合し、前記穴の中での該細長い部材の回転に抵抗するように構成される、項目３２に記載の安定器。
（項目５１）
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、該隆起に係合し、前記穴に沿った該細長い部材の軸方向移動に抵抗するように構成される、項目３２に記載の安定器。
（項目５２）
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、該隆起に係合し、前記インプラントの長手軸に垂直な軸の周りでの該細長い部材の回転に抵抗するように構成される、項目３２に記載の安定器。
（項目５３）
前記骨に固着され、該骨の長手軸と実質的に平行に位置付けられる支持プレートを含み、該支持プレートは、
第１の刻み目と、
第２の刻み目と
を含み、
前記細長い部材は、隆起を含み、
該第１の刻み目および該第２の刻み目は、前記隆起に係合し、
前記穴の中での該細長い部材の回転と、
該穴に沿った該細長い部材の軸方向移動と、
前記インプラントの長手軸に垂直な軸の周りでの該細長い部材の回転と
に抵抗するように構成される、項目３２に記載の安定器。
（項目５４）
前記細長い部材は、前記インプラントが前記骨の内側に配備された後に、前記アクセス穴内に位置付けられるように構成される、項目３２に記載の安定器。
（項目５５）
骨用のインプラントのための安定器であって、該インプラントは、該骨の皮質壁のアクセス穴を通して配備されるように構成され、該安定器は、
該インプラントが該骨の中に配備されると、該インプラントと、該皮質壁の外面の中に打ち込まれるアンカーを受容するように構成されるアンカー受容特徴との間に延在するように構成される細長い部材を含み、
該細長い部材は、該皮質壁の該外面に沿って該アンカー受容特徴を位置付けるために変形されるように構成される、安定器。
（項目５６）
前記細長い部材を覆って位置付けられるように構成される支持プレートをさらに含み、
該支持プレートは、前記穴の中心軸の周りでの該細長い部材の回転に抵抗する、項目５５に記載の安定器。
（項目５７）
前記細長い部材を覆って位置付けられるように構成される支持プレートをさらに含み、
該支持プレートは、該細長い部材に対して直角の軸の周りでの該細長い部材の回転に抵抗する、項目５５に記載の安定器。
（項目５８）
前記細長い部材を覆って位置付けられるように構成される支持プレートをさらに含み、
該支持プレートは、  
前記穴の中心軸の周りでの該細長い部材の回転と、  
該細長い部材に対して直角の軸の周りでの回転と
に抵抗する、項目５５に記載の安定器。
（項目５９）
前記細長い部材は、前記インプラントが前記骨の中に配備された後に、該インプラントに取り付けられるように構成される、項目５５に記載の安定器。
（項目６０）
骨用のインプラントのための安定器であって、該インプラントは、該骨の皮質壁のアクセス穴を通して配備されるように構成され、該安定器は、
該皮質壁の外面の中に打ち込まれたアンカーを受容するように構成されるアンカー受容特徴のための部位と、
該インプラントが該骨の中に配備されると、該インプラントと、該部位との間に延在するように構成される細長い部材と、
該細長い部材を覆って位置付けられる支持プレートであって、該支持プレートは、
該アクセス穴の中心軸の周りでの該細長い部材の回転と、
該細長い部材に対して直角の該細長い部材の軸方向移動と
に抵抗するように構成される、支持プレートと
を含む、安定器。
（項目６１）
前記細長い部材は、前記インプラントが前記骨の中に配備された後に、該インプラントに取り付けられるように構成される、項目６０に記載の安定器。
（項目６２）
骨用のインプラントのための安定器であって、該インプラントは、該骨の皮質壁のアクセス穴を通して配備されるように構成され、該安定器は、細長い部材を含み、該細長い部材は、
該穴に沿って、
該インプラントが該骨の中に配備されると、該インプラントと、控え壁カラーとの間に
延在するように構成され、
該控え壁カラーは、該アクセス穴の開口部で支持され、
該細長い部材は、該控え壁カラーで終端し、
該控え壁カラーは、該皮質壁の外面と実質的に平行である、安定器。
（項目６３）
アンカー受容特徴をさらに含み、該アンカー受容特徴は、前記外面の中に打ち込まれたアンカーを受容するように構成される、項目６２に記載の安定器。
（項目６４）
前記アクセス穴の中心軸と前記インプラントの中心軸との間の角度は、調整可能である、項目６２に記載の安定器。
（項目６５）
係止機構をさらに含み、該係止機構は、前記調整可能な角度を係止するように構成される、項目６４に記載の安定器。
（項目６６）
前記細長い部材は、関節運動表面をさらに含む、項目６４に記載の安定器。
（項目６７）
前記調整可能な角度は、０度と４５度との間である、項目６４に記載の安定器。
（項目６８）
骨の中に骨インプラントを固定するためのシステムであって、該システムは、
表および裏を有する拡張可能ウェブであって、該ウェブは、該骨の内部に挿入されるように構成され、拡張直径を有する拡張可能セルを含む、拡張可能ウェブと、  
アンカーであって、該アンカーは、該拡張可能ウェブが該骨の内側にあるとき、該骨の断片を該拡張可能ウェブに固定するように構成される、アンカーと
を含み、該アンカーは、該表から該セルを貫通するための細長いシャフトと、該シャフトから離れるように横方向に延在し、該セルの該裏に係合することにより該セルと該骨の断片との間に張力を印加するように構成される係合特徴とを有し、該シャフトは、該張力が印加されたとき、該セルの該裏からの該係合特徴の係脱を防止するために、該拡張直径に対して十分大きいシャフト直径を有する、システム。
（項目６９）
前記拡張直径は、前記係合特徴が前記セルの前記裏に係合する前に、前記拡張可能ウェブが拡張状態にあるときの該セルの直径である、項目６８に記載のシステム。
（項目７０）
前記拡張直径は、前記拡張可能ウェブが拡張状態にあり、前記係合特徴が前記セルの前記裏に係合しており、該セルが前記張力によって弾性的に変形させられたときの該セルの直径である、項目６８に記載のシステム。
（項目７１）
前記拡張直径は、前記拡張可能ウェブが拡張状態にあり、前記係合特徴が前記セルの前記裏に係合しており、該セルが前記張力によって塑性的に変形させられたときの該セルの直径である、項目６８に記載のシステム。
（項目７２）
前記アンカーは、ネジであり、前記係合特徴は、らせんネジ山であり、ネジの谷径、ネジのネジ山直径、およびネジ山ピッチのうちの１つ以上は、前記セルの破壊ひずみに基づいて選択される、項目６８に記載のシステム。
（項目７３）
前記アンカーは、ネジであり、前記係合特徴は、らせんネジ山であり、ネジの谷径、ネジのネジ山直径、およびネジ山ピッチのうちの１つ以上は、前記セルの弾性変形限界に基づいて選択される、項目６８に記載のシステム。
（項目７４）
前記アンカーは、ネジであり、前記係合特徴は、らせんネジ山であり、ネジの測定基準は、前記セルの破壊強度に基づいて選択される、項目６８に記載のシステム。
（項目７５）
前記ネジの測定基準は、ネジの外径である、項目７０に記載のシステム。
（項目７６）
前記ネジの測定基準は、ネジの平均直径である、項目７０に記載のシステム。
（項目７７）
前記ネジの測定基準は、ネジの内径である、項目７０に記載のシステム。
（項目７８）
前記ネジの測定基準は、ネジ山ピッチである、項目７０に記載のシステム。
（項目７９）
前記ネジの測定基準は、ネジのネジ山角度である、項目７０に記載のシステム。
（項目８０）
骨アンカーを受容するように構成されるブラケットと、
該骨の内側に配備される骨インプラントに対して該ブラケットを支持するように構成される延長部材と、
締結アセンブリであって、該締結アセンブリは、
該ブラケットを延長部に締結することと、
該延長部を該インプラントに締結することと
を行うように構成される、締結アセンブリと
を含み、該締結アセンブリは、
該ブラケットが該インプラントに対して移動可能である第１の状態と、  
該ブラケットが該インプラントに対して係止される第２の状態と
を有する、装置。
（項目８１）
前記第１の状態において、前記ブラケットは、前記インプラントからの第１の距離から、該インプラントからの第２の距離まで移動可能である、項目８０に記載の装置。
（項目８２）
前記第１の状態において、前記ブラケットは、前記インプラントに対する第１の角度から、該インプラントに対する第２の角度まで移動可能である、項目８０に記載の装置。
（項目８３）
前記第１の状態において、前記ブラケットは、
前記インプラントからの第１の距離から、該インプラントからの第２の距離まで、
該インプラントに対する第１の角度から、該インプラントに対する第２の角度まで
移動可能である、項目８０に記載の装置。
（項目８４）
前記締結アセンブリは、
締結具であって、該締結具は、
前記インプラントに向かって前記延長部を押すことと、  
該延長部と前記ブラケットとの間に摩擦を誘発することと
を行うように構成される、締結具を含む、項目８０に記載の装置。
（項目８５）
拡張ブッシングをさらに含み、前記締結具は、
前記インプラントに向かって該拡張ブッシングを打ち込むことにより、該インプラントに向かって前記延長部を押すことと、
該延長部を拡張することにより、前記ブラケットの移動に干渉することと
を行うように構成される、項目８４に記載の装置。
（項目８６）
前記ブラケットは、管状部を有し、  
前記延長部は、該ブラケット管状部内にある管状部を有し、  
前記拡張ブッシングは、前記拡張管状部内にある部分を有し、  
前記締結具は、ネジを含み、該ネジは、該拡張ブッシング内にある部分を有する、項目８５に記載の装置。
（項目８７）
中心軸部材と、
該中心軸部材の周囲に同軸上に支持される第１の拡張可能ウェブと、
該中心軸の周囲に同軸上におよび該第１の拡張可能ウェブ内に支持される第２の拡張可能ウェブと
を含む、骨インプラント。
（項目８８）
前記中心軸部材が長手軸を画定するときに、
前記第１の拡張可能ウェブは、第１のメッシュセル密度を有し、該第１のメッシュセル密度は、拡張されたときに、該第１の拡張可能ウェブが、該第１のメッシュセル密度に基づいて第１の半径を有するように該軸に沿って変化し、  
前記第２の拡張可能ウェブは、第２のメッシュセル密度を有し、該第２のメッシュセル密度は、拡張されたときに、該第２の拡張可能ウェブが、該第２のメッシュセル密度に基づいて第２の半径を有するように該軸に沿って変化する、項目８７に記載のインプラント。
（項目８９）
前記第２のウェブの全長に実質的に沿って、前記第２の半径に対する前記第１の半径の比は、実質的に一定である、項目８８に記載のインプラント。
（項目９０）
前記第２のウェブの長さに沿って、前記第２の半径に対する前記第１の半径の比は、実質的に一定である、項目８８に記載のインプラント。
（項目９１）
前記第２の半径は、前記第２のウェブの遠位端と前記第２のウェブの近位端との間に、第２の半径の最大値を有し、
該第２の半径は、該遠位端に向かって、該最大値から実質的に直線的に減少し、
該第２の半径は、該近位端に向かって、該最大値から実質的に直線的に減少する、項目８８に記載のインプラント。
（項目９２）
前記第２のウェブの前記遠位端と該第２のウェブの前記近位端との間において、
前記第２の半径と前記第１の半径との間の違いは、半径方向オフセットを画定し、
該半径方向オフセットは、該第２の半径の最大値に対応するオフセット最小値を有する、項目９１に記載のインプラント。
（項目９３）
前記オフセット最小値は、前記第１の拡張可能ウェブが半径方向荷重を負担するときに、該第１の拡張可能ウェブが変形して、前記第２の半径の最大値において該荷重を前記第２の拡張可能ウェブに伝達するように十分小さい、項目９２に記載のインプラント。
（項目９４）
前記第１の拡張可能ウェブは、第１の複数の開放セルを含み、
前記第２の拡張可能ウェブは、第２の複数の開放セルを含み、
前記第１および第２の複数の開放セルは、アンカーに係合し、張力を該アンカーに送達して、該アンカーと係合される骨の断片を保持するように構成される、項目８７に記載のインプラント。
（項目９５）
前記第２の拡張可能ウェブは、該第２の拡張可能ウェブが、前記アンカーによる該第２の拡張可能ウェブの係合中に、前記アンカーからの干渉に応じて回転することができるために、前記長手軸の周りを回転可能であるように支持される、項目９３に記載のインプラント。
（項目９６）
骨用のインプラントであって、該インプラントは、構造構成要素を含み、拡張状態と、折り畳み状態と、長手軸と、該長手軸に対して直角の横軸とを有し、該構造構成要素は、該長手軸に沿って、
第１のゾーンと、
第２のゾーンと、
第３のゾーンと
を含み、
該第１のゾーンは、該横軸の周りでの屈曲に対する第１の抵抗を有し、  
該第２のゾーンおよび該第３のゾーンは、該横軸の周りでの屈曲に対する第２の抵抗を有し、
該折り畳み状態において、該屈曲に対する第１の抵抗は、該屈曲に対する第２の抵抗よりも大きい、インプラント。
（項目９７）
前記拡張状態での前記屈曲に対する第２の抵抗は、前記折り畳み状態での前記屈曲に対する第２の抵抗よりも大きい、項目９６に記載のインプラント。
（項目９８）
前記第１のゾーンは、第１のセルを含み、前記第３のゾーンは、第２のセルを含み、
該第１のセルは、
該第２のセルから、第１の距離で、前記長手軸の周囲で円周方向に離間し、
該第２のセルから、第２の距離で、該長手軸に沿って長手方向に離間し、前記第２のゾーンは、該第１のセルから該第２のセルまでの連結具を含む、項目９６に記載のインプラント。
（項目９９）
前記第１の距離の増加は、前記横軸の周りでの前記第２のゾーンの可撓性の増加に対応する、項目９８に記載のインプラント。
（項目１００）
前記第２の距離の増加は、前記横軸の周りでの前記第２のゾーンの可撓性の増加に対応する、項目９８に記載のインプラント。
（項目１０１）
前記第１のゾーンは、第３のセルを含み、該第３のセルは、
前記第２のセルから、第３の距離で、前記長手軸の周囲で円周方向に離間し、
該第２のセルから、第４の距離で、該長手軸に沿って長手方向に離間し、
前記第３のゾーンは、第４のセルを含み、該第４のセルは、
該第３のセルからの前記第１の距離で、該長手軸の周囲で円周方向に離間し、
該第３のセルからの第２の距離で、該長手軸に沿って長手方向に離間し、
前記第２のゾーンは、前記連結具が第１の連結具であるときに、
該第３のセルから該第４のセルまでの第２の連結具を含み、
前記拡張状態において、該第１の連結具は、該第２の連結具の上に積み重なる、項目９８に記載のインプラント。
（項目１０２）
前記連結具は、前記第１のセルと前記第２のセルとを蛇行して連結する、項目９８に記載のインプラント。
（項目１０３）
前記第１のゾーンは、第１のセルを含み、前記第３のゾーンは、第２のセルを含み、
該第１のセルは、
前記長手軸の周囲で、該第２のセルと円周方向に整列させられ、  
該第２のセルからの距離で、該長手軸に沿って長手方向に離間し、
前記第２のゾーンは、該第１のセルから該第２のセルまでの連結具を含む、項目９６に記載のインプラント。
（項目１０４）
前記連結具は、前記第１のセルを前記第２のセルに蛇行して連結する、項目１０３に記載のインプラント。
（項目１０５）
前記連結具は、「Ｖ」字形連結具を含み、該連結具は、頂点と、第１の脚と、第２の脚とを有し、
前記長手軸に沿った圧縮下において、該第１の脚および該第２の脚は、該頂点の周囲で折り重なる、項目１０３に記載の構造。
（項目１０６）
骨用のインプラントであって、該インプラントは、構造構成要素を含み、該インプラントは、拡張状態と、折り畳み状態と、長手軸とを有し、該構造構成要素は、
該長手軸に沿って延在する第１の構造部材と、
該長手軸に沿って延在し、該第１の部材から該長手軸の周囲で円周方向に離間している第２の構造部材と、
該第１の部材から該第２の部材まで及ぶ交差支持材と
を含み、
該交差支持部材は、継手を有する部材を含み、該部材は、
該折り畳み状態で、該継手の周囲で折り重ねられ、
該拡張状態で、該継手の周囲で広げられるように構成される、インプラント。
（項目１０７）
前記交差支持材が折り重ねられたとき、前記部材の角度は、実質的に０度であり、
該交差支持材が広げられたときに、該部材の角度は、実質的に１８０度である、項目１０６に記載のインプラント。
（項目１０８）
前記広げられた交差支持材は、前記長手軸からの前記インプラントの拡張を制限する、項目１０６に記載のインプラント。
（項目１０９）
骨用のインプラントであって、該インプラントは、支持構成要素を含み、該支持構成要素は、平面を画定し、該インプラントは、該平面内に位置する長手軸と、該平面内に位置し、該長手軸と垂直である第１の横軸と、該長手軸と垂直であり、かつ該平面と垂直である第２の横軸とを有し、
該支持構成要素は、
該長手軸の周囲または該第１の横軸の周りでの屈曲に対する第１の抵抗と、
該第２の横軸の周りでの屈曲に対する第２の抵抗と
を有し、
該第１の屈曲抵抗は、該第２の屈曲抵抗よりも大きい、インプラント。
（項目１１０）
前記支持構成要素は、第１の部材と、第２の部材とを含み、
該第１の部材は、
前記長手軸の周囲または前記第１の横軸の周りでの屈曲に対する第３の抵抗と、
前記第２の横軸の周りでの屈曲に対する第４の抵抗と
を有し、
該第２の部材は、
該長手軸の周囲または該第１の横軸の周りでの屈曲に対する第５の抵抗と、
該第２の横軸の周りでの屈曲に対する第６の抵抗と
を有する、項目１０９に記載のインプラント。
（項目１１１）
前記支持構成要素は、第１のアンカー受容特徴と、第２のアンカー受容特徴とを含み、該第１のアンカー受容特徴および該第２のアンカー受容特徴は、前記平面内に位置するアンカーを受容するように構成される、項目１０９に記載のインプラント。
（項目１１２）
長手軸を画定する中心軸部材と、
該中心軸部材の周囲に同軸上に支持される拡張可能ウェブであって、該拡張可能ウェブは、
該拡張可能ウェブの第１のセグメントに沿って長手方向に変化する第１のメッシュセル密度と、
該拡張可能ウェブの第２のセグメントに沿って長手方向に変化する第２のメッシュセル密度と、
該拡張可能ウェブの第３のセグメントに沿って長手方向に変化する第３のメッシュセル密度と、
該拡張可能ウェブの第４のセグメントに沿って長手方向に変化する第４のメッシュセル密度と、
該拡張可能ウェブの第５のセグメントに沿って長手方向に変化する第５のメッシュセル密度と
を含み、それにより、該拡張可能ウェブが拡張状態であるときに、
該第１のセグメントは、第１の外形を有し、
該第２のセグメントは、第２の外形を有し、
該第３のセグメントは、第３の外形を有し、
該第４のセグメントは、第４の外形を有し、
該第５のセグメントは、第５の外形を有する
拡張可能ウェブと
を含む、骨インプラント。
（項目１１３）
非拡張状態において、前記第１、第２、第３、第４、および第５のセグメントは、連続して長手方向に順序付けられ、
前記拡張状態において、
該第１および第５のセグメントは、相互に対面して凹状であり、
該第２および第４のセグメントは、それぞれ、該第１のセグメントから該第３のセグメントまで、および該第３のセグメントから該第５のセグメントまで架橋する、項目１１２に記載のインプラント。
（項目１１４）
前記拡張状態において、前記第３のセグメントは、実質的に円筒形である、項目１１３に記載のインプラント。
（項目１１５）
前記拡張状態において、前記第３のセグメントは、楕円体である、項目１１３に記載のインプラント。
（項目１１６）
前記拡張状態において、
前記第１のセグメントは、第１のセグメントの最大半径を有し、
前記第３のセグメントは、第３のセグメントの最大半径を有し、
前記第５のセグメントは、第５のセグメントの最大半径を有し、
該第１のセグメントの最大半径および該第５のセグメントの最大半径の両方は、該第３のセグメントの最大半径よりも大きい、項目１１３に記載のインプラント。
（項目１１７）
前記第３のセグメントの最大半径に対する、前記第１のセグメントの最大半径および前記第５のセグメントの最大半径のうちの１つのものの比は、少なくとも１．１である、項目１１６に記載のインプラント。
（項目１１８）
長手軸を画定する中心軸部材と、
該中心軸部材の周囲に同軸上に支持される拡張可能ウェブであって、該拡張可能ウェブは、
該拡張可能ウェブの第１のセグメントに沿って長手方向に変化する第１のメッシュセル密度と、
該拡張可能ウェブの第２のセグメントに沿って長手方向に変化する第２のメッシュセル密度と、
該拡張可能ウェブの第３のセグメントに沿って長手方向に変化する第３のメッシュセル密度と
を含み、該拡張可能ウェブが拡張状態であるときに、
該第１のセグメントは、第１の外形を有し、
該第２のセグメントは、第２の外形を有し、
該第３のセグメントは、第３の外形を有する
拡張可能ウェブと
を含む、骨インプラント。
（項目１１９）
非拡張状態において、前記第２のセグメントは、前記第１のセグメントと前記第３のセグメントとの間で長手方向にあり、
前記拡張状態において、
該第１のセグメントは、楕円体であり、
該第３のセグメントは、該第１のセグメントに対面して凹状であり、
該第２のセグメントは、該第３のセグメントの外半径から該第１のセグメントの隣接先端まで架橋する、項目１１８に記載のインプラント。
（項目１２０）
前記拡張状態において、前記第２のセグメントは、前記第１のセグメントに対面して凹状である部分を有する、項目１１９に記載のインプラント。
（項目１２１）
前記拡張状態において、前記第２のセグメントは、前記第１のセグメントに対面して凸状である部分を有する、項目１２０に記載のインプラント。
（項目１２２）
前記拡張状態において、前記第２のセグメントは、前記第１のセグメントに対面して凸状である部分を有する、項目１１９に記載のインプラント。
（項目１２３）
前記拡張状態において、
前記第１のセグメントは、第１のセグメントの最大半径を有し、
前記第３のセグメントは、第２のセグメントの最大半径を有し、
該第３のセグメントの最大半径は、該第１のセグメントの最大半径よりも大きい、項目１１９に記載のインプラント。
（項目１２４）
前記第１のセグメントの最大半径に対する前記第３のセグメントの最大半径の比は、少なくとも１．１である、項目１２３に記載のインプラント。
（項目１２５）
前記拡張状態において、
前記第１のセグメントは、第１の長手径を有し、
前記第２および第３のセグメントはともに、第２の長手径を画定し、
該第１の長手径は、該第２の長手径よりも大きい、項目１１９に記載のインプラント。
（項目１２６）
前記第２の長手径に対する前記第１の長手径の比は、少なくとも２．５である、項目１２５に記載のインプラント。
（項目１２７）
前記拡張状態において、
前記第１のセグメントは、第１のセグメントの最大半径を有し、
前記第３のセグメントは、第２のセグメントの最大半径を有し、
該第１のセグメントの最大半径は、該第３のセグメントの最大半径よりも大きい、項目１１９に記載のインプラント。
（項目１２８）
前記第３のセグメントの最大半径に対する前記第１のセグメントの最大半径の比は、少なくとも１．１である、項目１２３に記載のインプラント。
（項目１２９）
前記拡張状態において、
前記第１のセグメントは、第１の長手径を有し、
前記第２および第３のセグメントはともに、第２の長手径を画定し、
該第２の長手径は、該第１の長手径よりも大きい、項目１１９に記載のインプラント。
（項目１３０）
前記第１の長手径に対する前記第２の長手径の比は、少なくとも２．５である、項目１２９に記載のインプラント。
（項目１３１）
長手軸を画定する中心軸部材と、
該中心軸部材の周囲に同軸上に支持される拡張可能ウェブであって、該拡張可能ウェブは、
該拡張可能ウェブの第１のセグメントに沿って長手方向に変化する第１のメッシュセル密度と、
該拡張可能ウェブの第２のセグメントに沿って長手方向に変化する第２のメッシュセル密度と、
該拡張可能ウェブの第３のセグメントに沿って長手方向に変化する第３のメッシュセル密度と
を含み、該拡張可能ウェブが拡張状態であるときに、
該第１のセグメントは、第１の外形を有し、
該第２のセグメントは、第２の外形を有し、
該第３のセグメントは、第３の外形を有する
拡張可能ウェブと
を含む、骨インプラント。
（項目１３２）
非拡張状態において、前記第２のセグメントは、前記第１のセグメントと前記第３のセグメントとの間で長手方向にあり、
前記拡張状態において、
前記第１の外形は、該第２のセグメントに向かって開いている実質的に円錐形の形状であり、
該第３のセグメントは、実質的に平面的であり、前記中心軸部材と実質的に垂直であり、
該第２のセグメントは、該第１のセグメントの外半径から該第３のセグメントの外半径まで架橋する、項目１３１に記載のインプラント。
（項目１３３）
前記拡張状態において、
前記第２の外形は、実質的に円錐形であり、前記第１の外径との継手において第１の半径、および前記第３の外径との継手において第２の半径を有し、
該第２の半径は、該第１の半径よりも大きい、項目１３２に記載のインプラント。
（項目１３４）
前記第１の半径に対する前記第２の半径の比は、少なくとも１．１である、項目１３３に記載のインプラント。
（項目１３５）
骨用のインプラントのための骨係合部材であって、該インプラントは、骨の内側に配備されたときに、該インプラントの遠位端において、封入領域を画定し、該骨係合部材は、
該領域から外へ延在し、
該骨の中へ延在する
ように構成される、骨係合部材。
（項目１３６）
細長い部材を含み、該細長い部材は、前記インプラントの近位端から、
前記領域の内側で第１の長さに延在し、
該領域の外側で第２の長さに延在する
項目１３５に記載の骨係合部材。
（項目１３７）
前記インプラントに直接固定されない細長い部材を含む、項目１３５に記載の骨係合部材。
（項目１３８）
前記インプラントに直接固定される細長い部材を含む、項目１３５に記載の骨係合部材。
（項目１３９）
骨用のインプラントのための骨係合部材であって、該インプラントは、該インプラントの遠位端に向かって集中する支持構造を含み、該骨係合部材は、
該支持構造から分岐し、
該骨の中へ延在する
ように構成される、骨係合部材。
（項目１４０）
前記支持構造に直接固定されない骨係合部材を含む、項目１３９に記載の骨係合部材。
（項目１４１）
前記支持構造に直接固定される骨係合部材を含む、項目１３９に記載の骨係合部材。
（項目１４２）
前記インプラントの支持部材と並んで、前記骨係合部材の第１の長さにわたり、
前記骨の中に、該骨係合部材の第２の長さにわたり
延在するように構成される、項目１３９に記載の骨係合部材。
（項目１４３）
前記第１の長さは、前記支持構造の表面に実質的に垂直に延在する、項目１４２に記載の骨係合部材。
（項目１４４）
前記インプラントの拡張後に、前記支持構造の前記表面と実質的に垂直に延在するように構成される、項目１４３に記載の骨係合部材。
（項目１４５）
前記骨の海綿部分の中に延在するように構成される、項目１３９に記載の骨係合部材。
（項目１４６）
前記骨に対する前記インプラントの並進運動に抵抗するように構成される、項目１３９に記載の骨係合部材。
（項目１４７）
前記骨に対する前記インプラントの回転運動に抵抗するように構成される、項目１３９に記載の骨係合部材。
（項目１４８）
前記支持構造から分岐し、前記骨の中に延在するいくつかの骨係合部材のうちの１つである、項目１３９に記載の骨係合部材。
（項目１４９）
前記骨の内部幾何学形状と整合するように構成される遠位先端を含む、項目１３９に記載の骨係合部材。
（項目１５０）
前記インプラントの近位端において該インプラントに固定されるように構成される、項目１３９に記載の骨係合部材。
（項目１５１）
前記インプラントが前記骨のアクセス穴を通して配備されるとき、該インプラントの後に該アクセス穴に挿入されるように構成される、項目１３４に記載の骨係合部材。
（項目１５２）
前記インプラントが前記骨のアクセス穴を通して配備されるとき、該インプラントが該骨の中に配備された後に該アクセス穴に挿入されるように構成される、項目１３４に記載の骨係合部材。
（項目１５３）
長手軸および該軸に垂直な半径方向を画定する中心軸部材と、
該中心軸部材の周囲で支持される拡張可能ウェブであって、横外形を有する拡張可能ウェブと
を含み、該中心軸部材から該外形までの半径方向距離は、該軸の周囲で円周方向に変化する、骨インプラント。
（項目１５４）
前記拡張可能ウェブと機械的に界面接触し、前記半径方向に該拡張可能ウェブを拘束して、前記横外形を達成するように構成される末端ウェブセグメントを含む、項目１５３に記載の骨インプラント。
（項目１５５）
前記横外形は、第１の半径および第２の半径を有し、該第１の半径は、該第２の半径よりも大きく、
前記末端ウェブセグメントは、該第１の半径に対応する第１のアームを有し、
該末端ウェブセグメントは、該第１の半径よりも小さくなるように該第２の半径を拘束する、第２のアームを有する、項目１５４に記載の骨インプラント。
（項目１５６）
前記横外形は、前記第１の半径よりも小さい第３の半径を有し、  
前記末端ウェブセグメントは、該第１の半径よりも小さくなるように該第３の半径を拘束する第３のアームを有する、項目１５５に記載の骨インプラント。
（項目１５７）
前記横外形は、第１の動作可能な直線のセグメントと、第２の動作可能な直線のセグメントとを含み、
前記第１および第３のアームは、該第１の動作可能な直線のセグメントに対してある角度を成して、該第２の動作可能な直線のセグメントを配向させる、項目１５６に記載の骨インプラント。
（項目１５８）
前記横外形は、動作可能な多角形である、項目１５７に記載の骨インプラント。
（項目１５９）
前記横外形は、動作可能な菱形である、項目１５８に記載の骨インプラント。
（項目１６０）
前記横外形は、動作可能な三角形である、項目１６０に記載の骨インプラント。
（項目１６１）
前記横外形は、楕円の長軸および楕円の短軸を有し、
前記第１のアームは、該楕円の長軸に対応し、
前記第２のアームは、該楕円の短軸に対応する、項目１５５に記載の骨インプラント。
（項目１６２）
前記横外形は、動作可能に楕円形である、項目１６１に記載の骨インプラント。
骨用インプラントを固定するための装置および方法が提供される。インプラントは、骨の骨折を修復するように骨に固定されてもよい。インプラントは、拡張可能インプラントであってもよい。インプラントは、非拡張可能インプラントであってもよい。インプラントは、任意の好適なインプラントであってもよい。例えば、インプラントは、その全体で参照することにより本明細書に組み込まれる、米国特許出願公報第２００９／０１８２３３６Ａｌ号で示され、説明されているインプラント等のインプラントであってもよい。